(57)【要約】【課題】  少ない接続用の端子で、照明制御装置の外部機器３００を照明制御装置１００と連動させる。【解決手段】  照明制御装置１００は、コントロール端子１５１、入力端子１５２及び出力端子１５３を有する制御回路部１５０と、前記コントロール端子１５１、前記入力端子１５２及び前記出力端子に接続されるとともに、電線を介して外部機器の接点に電気的に接続される接点入力／出力ポート部１７０とを備え、前記外部機器３００との接点の状態に応じて接点入力／出力ポート部の入力と出力を切り換えることで、少ない端子で外部機器３００を連動させることができる。【選択図】  図２
2015079686.tif 000002
【特許請求の範囲】
【請求項１】
コントロール端子、入力端子及び出力端子を有する制御回路部と、
前記コントロール端子、前記入力端子及び前記出力端子に接続されるとともに、電線を介して外部機器の接点に電気的に接続される接点入力／出力ポート部と、を備え、
前記接点入力／出力ポート部は、前記コントロール端子からのコントロール信号に基づいて、前記外部機器の接点の状態を入力する接点入力状態または前記外部機器の接点を制御する接点出力状態に切替え、前記接点入力状態のとき、前記外部機器の接点の状態を前記入力端子へ伝達し、前記接点出力状態のとき、前記出力端子からの出力信号により前記外部機器の接点を制御することを特徴とする照明制御装置。
【請求項２】
前記制御回路部は、それぞれ複数のコントロール端子、入力端子及び出力端子を有し、
前記接点入力／出力ポート部は、前記外部機器に電線を介して接続され、前記コントロール端子、入力端子及び出力端子にそれぞれ接続される複数の入力／出力ポート部を有し、それぞれの入力／出力ポート部は独立して、前記制御回路部からのコントロール信号に基づいて、前記接点入力状態、前記接点出力状態に切り替わることを特徴とする請求項１に記載の照明制御装置。
【請求項３】
前記制御回路部は、複数の前記入力端子に優先順位を付加し、優先順位の高い前記入力端子に入力された入力信号を優先して処理を実行することを特徴とする請求項２に記載の照明制御装置。
【発明の詳細な説明】
【技術分野】
【０００１】
本発明は、照明制御装置に関する。
【背景技術】
【０００２】
照明制御装置内に外部の外部接点信号制御部からの接点信号を入力する接点信号入力部を備え、例えば、タイマーや照明負荷の点消灯を制御するスイッチなどが接点信号入力部に接続され、外部の外部接点制御信号制御部からの接点信号に連動して動作する照明制御装置がある。（例えば、特許文献１、段落「００５８」〜段落「００６７」、図３参照。）
【先行技術文献】
【特許文献】
【０００３】
【特許文献１】特開２００２−３６７７８８号公報
【発明の概要】
【発明が解決しようとする課題】
【０００４】
しかしながら、照明制御装置の外部機器を照明制御装置と連動させようとすると、照明制御装置に接点信号入力部とは別に、接点信号出力部を備える必要があり、接続用の端子を増やさなければならず、端子が大きくなったり、コストアップしたりするという課題があった。
【０００５】
本発明は、照明制御装置に接続される接続ポートを入力と出力を切り換えることによって、少ない入出力ポートでさまざまな外部機器３００に対応させることを目的とする。
【課題を解決するための手段】
【０００６】
本発明の照明制御装置は、コントロール端子、入力端子及び出力端子を有する制御回路部と、前記コントロール端子、前記入力端子及び前記出力端子に接続されるとともに、電線を介して外部機器の接点に電気的に接続される接点入力／出力ポート部と、を備え、前記接点入力／出力ポート部は、前記コントロール端子からのコントロール信号に基づいて、前記外部機器の接点の状態を入力する接点入力状態または前記外部機器の接点を制御する接点出力状態に切替え、前記接点入力状態のとき、前記外部機器の接点の状態を前記入力端子へ伝達し、前記接点出力状態のとき、前記出力端子からの出力信号により前記外部機器の接点を制御する。
【発明の効果】
【０００７】
この発明によれば、外部機器を接続する端子を少なくすることができる。
【図面の簡単な説明】
【０００８】
【図１】実施の形態１の照明制御システムのシステム構成を示す図である。
【図２】図１の照明制御装置の内部構成を示す図である。
【図３】図１の照明制御装置の外表面の底面を示す図である。
【図４】図２の照明制御装置の接点入力／出力ポート部の詳細を示す図である。
【図５】実施例１における照明制御システムのシステム構成を示す図である。
【図６】実施例２における照明制御システムのシステム構成を示す図である。
【図７】実施例３における照明制御システムのシステム構成を示す図である。
【図８】実施例４における照明制御システムのシステム構成を示す図である。
【図９】実施例５における照明制御システムのシステム構成を示す図である。
【図１０】実施の形態２の照明制御システムのシステム構成を示す図である。
【図１１】図１０の照明制御装置の内部構成を示す図である。
【図１２】実施の形態２の他の照明制御システムのシステム構成を示す図である。
【図１３】実施の形態３の照明制御装置の正面、側面及び底面を示す図である。
【図１４】実施の形態３の照明制御装置の分解斜視図である。
【発明を実施するための形態】
【０００９】
実施の形態１．
図１は、本実施の形態の照明制御システムのシステム構成を示す図であり、図２は、図１の照明制御装置の内部構成を示す図であり、図３は、図１の照明制御装置の外表面の底面を示す図である。
【００１０】
照明制御システム１０００は、照明制御装置１００と、この照明制御装置１００に接続される複数の照明器具２００と、照明制御装置１００に接続される外部機器３００と、リモコン装置４００からなる。
【００１１】
照明制御装置１００は、照度センサ部１１０と、人感センサ部１２０と、報知部１３０と、電源回路部１４０と、制御回路部となるマイコン１５０と、時刻を計時するリアルタイムクロックＲＴＣと、ＰＷＭ信号入力部１６０と、接点入力／出力ポート部１７０と、ＰＷＭ信号出力部１８０と、ワイヤレス通信部１９０とを備える。
【００１２】
照度センサ部１１０は、机上面または床面の照度を測定し、測定結果をマイコン１５０へ照度信号として出力する。
【００１３】
報知部１３０は、音声発声部１３１と、表示部１３２とからなる。
音声発生部１３１は、ブザーなどを有し、マイコン１５０からの指令に従って、ブザー音や音声などを出力する。例えば、マイコン１５０の設定状態が変わった場合に、ブザー音や音声を発声し、ユーザーなどにマイコン１５０の設定状態が変わったことを報知する。
【００１４】
表示部１３２は、例えば、３つのＬＥＤからなり、それぞれ、照明制御装置１００の運転状態を示す運転ＬＥＤ、人感センサ機能をオン状態にしていることを示す人感ＬＥＤ、ＰＷＭ信号が正常に出力していることを示す出力ＬＥＤである。
【００１５】
電源回路部１４０は、入力される商用電源（例えばＡＣ１００やＡＣ２００Ｖ）を直流電圧に変換し、照明制御装置１００に内蔵される各回路を動作させるための電源を生成する。電源回路部１４０は、第一の制御電源Ｖｃｃ１（例えば、直流電圧５Ｖ）と第二の制御電源Ｖｃｃ２（例えば、直流電圧１５Ｖ）を生成する。
【００１６】
マイコン１５０は、照度センサ部１１０からの照度信号に基づいて、照明器具２００の調光度を決定したり、時刻に応じて、照明器具２００の点灯状態を制御する点灯スケジュール管理をしたり、人感センサ部１２０の在／不在情報に基づいて、照明器具２００の点灯状態を点灯または消灯させたりする。
【００１７】
また、マイコン１５０は、入出力切替出力ポートである２つのコントロール端子１５１と、外部機器３００からの接点信号を入力する入力端子１５２と、外部機器３００の接点を制御するための接点信号を出力する出力端子１５３を備える。
【００１８】
リアルタイムクロックＲＴＣは、時計機能を持ち、予め設定された時刻になると、マイコン１５０に通知する。
【００１９】
ＰＷＭ信号入力部１６０は、電線により接続された例えばダイヤル式の調光器（図示しない。）からのＰＷＭ信号を入力する。入力されたＰＷＭ信号は、ＰＷＭ信号入力部１６０を介して、各照明器具２００へ出力される。
【００２０】
接点入力／出力ポート部１７０は、外部機器３００が接続される。接続される外部機器３００の種類によって、この接点入力／出力ポート部１７０に信号を出力するものあるいは信号を入力するものがある。なお、外部機器３００の種類による照明制御装置１００の動作については後述する。また、接点入力／出力ポート部１７０のハードウェア構成についても後述する。
【００２１】
図４は、図２の照明制御装置の接点入力／出力ポート部の回路を示す図である。
【００２２】
接点入力／出力ポート部１７０は、第一の入力／出力ポート部１７１と、第二の入力／
出力ポート部１７２とからなる。
【００２３】
第一の入力／出力ポート部１７１は、入出力切替回路１７１ａと、入力回路１７１ｂと、出力回路１７１ｃからなる。
【００２４】
入出力切替回路１７１ａは、第一の制御電源Ｖｃｃ１に接続され、直列接続された抵抗Ｒ１、Ｒ２と、この抵抗Ｒ２にベース端子が接続されるＮＰＮトランジスタＱ１と、このＮＰＮトランジスタＱ１のベース端子とエミッタ端子に並列に接続される抵抗Ｒ３と、第二の制御電源Ｖｃｃ２に接続された抵抗Ｒ４と、この抵抗Ｒ４にエミッタ端子が接続されるＰＮＰトランジスタＱ２と、このＰＮＰトランジスタＱ２のエミッタ端子とベース端子に並列に接続される抵抗Ｒ５と、ＰＮＰトランジスタＱ２のベース端子とＮＰＮトランジスタＱ３のコレクタ端子との間に接続される抵抗Ｒ６と、ＰＮＰトランジスタＱ２のコレクタ端子にアノード端子が接続されるダイオードＤ１とを備える。
【００２５】
入力回路１７１ｂは、入出力切替回路１７１ａのＰＮＰトランジスタＱ２のコレクタ端子とダイオードＤ１のアノード端子との接続点に接続される抵抗Ｒ７と、この抵抗Ｒ７に接続される抵抗Ｒ８及びコンデンサＣ１とを備える。
【００２６】
出力回路１７１ｃは、ダイオードＤ２と、このダイオードＤ２のカソード端子に接続される抵抗Ｒ９と、この抵抗Ｒ９にベース端子が接続されるＮＰＮトランジスタＱ３と、このＮＰＮトランジスタＱ３のベース端子とエミッタ端子に並列に接続される抵抗Ｒ１０とを備える。
第二の入力／出力ポート部１７２は、第一の入力／出力ポート部１７１と同じ構成、機能であるため、同じ符号を付し、説明を省略する。
【００２７】
ＰＷＭ信号出力部１８０は、照明器具２００が接続される。ＰＷＭ信号出力部１８０はオンデューティ比が可変のＰＷＭ信号であり、このオンデューティの幅で、接続される照明器具２００の点灯状態を制御する。
【００２８】
ワイヤレス通信部１９０は、リモコン装置４００と赤外線（または遠赤外線）にて通信を行うリモコン通信部１９１を有する。
【００２９】
照明器具２００は、照明制御装置１００のＰＷＭ信号出力部１８０と有線にて接続され、ＰＷＭ信号出力部１８０が出力するＰＷＭ信号に応じて、調光点灯したり、消灯したりする。例えば、ＰＷＭ信号のオンデューティが１００％のとき消灯させ、ＰＷＭ信号のオンデューティが９５％〜５％のとき、調光点灯の調光度を２５％（例えばＰＷＭ信号のオンデューティが９５％）〜１００％（例えばＰＷＭ信号のオンデューティが５％以下）に変化させる。
【００３０】
次に接点入力／出力ポート部１７０の動作について説明する。
始めに、ユーザーなどは、接点入力／出力ポート部１７０に接続される外部機器３００に応じて、接点入力／出力ポート部１７０を接点入力として使用するか、接点出力として設定するかを選択し、リモコンによってマイコン１５０に接点入力／出力ポート部１７０の選択した結果を記憶させる。また、リモコン装置４００によって接点入力／出力ポート部１７０は、２つのポートを個別に接点入力または接点出力として設定する個別動作モードと２つのポートを組合せて接点入力または接点出力として設定する組合せ動作モードをマイコン１５０に記憶させる。
【００３１】
まず、接点入力／出力ポート部１７０を接点入力で使用する場合について説明する。
マイコン１５０は、コントロール端子１５１（入出力切替出力ポート）の出力（コントロール信号ともいう。）をＨＩＧＨにする。コントロール端子１５１がＨＩＧＨになると、第一の制御電源Ｖｃｃ１からＮＰＮトランジスタＱ１のベース端子に供給しているベース電流は、マイコン１５０側には流れず、ＮＰＮトランジスタＱ１に流れる。そのため、ＮＰＮトランジスタＱ１はオン状態（コレクタ電流が流れる状態）となる。
【００３２】
したがって、第二の制御電源Ｖｃｃ２からＰＮＰトランジスタＱ２のベース端子に供給している電流が流れなくなるので、ＰＮＰトランジスタＱ２にエミッタ電流が流れる。
【００３３】
よって、ダイオードＤ１を介して、コネクタＣＮ１に接続されている外部機器３００へ電流を流すことができる。
【００３４】
このとき、外部機器３００の接点がオン状態のとき、入出力切替回路１７１ａ（ダイオードＤ１）が出力する電圧は短絡され、入力回路１７１ｂには電圧が印加されなくなる。よって、入力回路１７１ｂの抵抗Ｒ７と抵抗Ｒ８による分圧電圧はほぼ０Ｖとなるため、マイコン１５０の入力端子１７１ｂ（入力ポート）にはＬＯＷ信号が入力されることになる。
【００３５】
また、外部機器３００の接点がオフ状態のとき、入出力切替回路１７１ａ（ダイオードＤ１）が出力する電圧は短絡されることがなく、入力回路１７１ｂには、入出力切替回路１７１ａのＰＮＰトランジスタＱ２のコレクタ端子に発生している電圧が印加される。よって、入力回路１７１ｂの抵抗Ｒ７と抵抗Ｒ８による分圧電圧は、第二の制御電源電圧Ｖｃｃ２を抵抗Ｒ７と抵抗Ｒ８による分圧比で決定され、この分圧電圧がマイコン１５０の入力端子１５２に入力される。つまりマイコン１５０の入力端子１５２にＨＩＧＨ信号が入力されることになる。
【００３６】
次に、接点入力／出力ポート部１７０を接点出力で使用する場合について説明する。
マイコン１５０は、コントロール端子１５１（入出力切替出力ポート）の出力をＬＯＷにする。コントロール端子１５１がＬＯＷになると、第一の制御電源Ｖｃｃ１からＮＰＮトランジスタＱ１のベース端子に供給しているベース電流は、マイコン１５０側には流れ、ＮＰＮトランジスタＱ１に流れなくなる。そのため、ＮＰＮトランジスタＱ１はオフ状態（コレクタ電流が流れない状態）となる。
【００３７】
したがって、コントロール端子１５１は、入力回路１７１ｂにもコネクタＣＮ１に接続される外部機器３００にも電圧を印加しない。
【００３８】
この状態のとき、出力回路１７１ｃは、いわゆるオープンコレクタ出力といわれる回路構成となる。
【００３９】
コネクタＣＮ１に接続されている外部機器３００の出力電圧がプルアップ電圧となっており、マイコン１５０の出力端子１５３から出力される出力信号によって、出力回路１７１ｃのＮＰＮトランジスタＱ３がオンオフする。なお、外部機器３００のプルアップ電圧はダイオードＤ１により入力回路１７１ｂの抵抗Ｒ７と抵抗Ｒ８に電流が漏れなくなる。よって、外部機器３００がリレー回路（駆動電流は約２０ｍＡ）でなく、フォトカップラ（駆動電流は約２ｍＡ）等を使用した場合、ダイオードＤ１によって入力回路１７１ｂが上記電流で動作しなくなる効果があり、微小電流で動作するフォトカップラも使用可能となる。
【００４０】
よって、照明制御装置１００は、コネクタＣＮ１を介して接続されている外部機器３００に信号を出力することができる。
【００４１】
実施例１．
この実施例では、実施の形態１の外部機器３００として、スイッチユニットを用いる場合について説明する。実施の形態１と同様の構成、機能について、同符号を付して説明を省略し、この実施例における構成及び動作について説明する。
【００４２】
図５は、本実施例における照明制御システムのシステム構成を示す図である。
【００４３】
この実施例における照明制御システム１０００ａは、照明制御装置１００と、これに接続される複数の照明器具２００と、照明制御装置１０００の接点入力／出力ポート部１７０に接続されるスイッチユニット３１０からなる。
【００４４】
スイッチユニット３１０は、例えば、壁面などに取り付けられる照明制御用のスイッチである。このスイッチユニット３１０は、２つの接点部３１１、３１２と、この接点部３１１、３１２をそれぞれオン状態またはオフ状態に切替えるボタンを有している。
２つの接点部３１１、３１２は、それぞれ照明制御装置１００の第一の入力／出力切替回路１７１、第二の入力／出力切替回路１７２（コネクタＣＮ１）に電線にて接続される。
【００４５】
次に、照明制御装置１００のマイコン１５０の組合せモード設定について説明する。
まず、接点部３１１、３１２を接点入力で使用するため、照明制御装置１００のマイコン１５０には、接点入力／出力ポート部１７０を接点入力で使用できるように設定する。
【００４６】
次に、この接点入力（接点部３１１、３１２）のオン状態、オフ状態の組み合わせによって動作する機能を設定する。例えば、接点部３１１、接点部３１２の状態に応じて、接続されている照明器具２００の調光度を切替えるようにする。例えば、全ての照明器具２００の調光度を５０％にする状態をシーン１、同じく全ての照明器具２００の調光度を２５％にする状態をシーン２、照明器具２００の調光度を０％（消灯状態）にする状態をシーン３とする。２つのポートの組合せモードにより４つの状態を表すことができる。この接点状態と機能の組み合わせパターンを表１に示す。
【００４７】
【表１】
2015079686.tif 000003
【００４８】
このように設定した状態で、スイッチユニット３１０のボタンを操作すると、ユーザーがシーン１を実行したいときなど、スイッチユニット３１０の操作によって、任意のシーン（照明器具２００の調光度の変更）を選択することができる。
【００４９】
また、接点部３１１と接点部３１２の組み合わせに対応する機能は、照明器具２００の調光度を設定する場合に限らずに、スケジュール機能などを実行するようにしてもよい。このスケジュール機能とは、例えば、８時に照明器具２００の調光度を７０％、１２時〜１３時までの間は調光度を２５％、１３時〜２２時までは調光度を７０％、２２時以降は消灯としたものを一つの点灯スケジュールパターンとし、同様に時間に応じた調光度からなる点灯スケジュールパターンを複数設定して、スイッチユニット３１０（接点部３１１と接点部３１２のオン／オフ状態の組み合わせ）によって選択するようにしてもよい。
【００５０】
また、スイッチユニット３１０は、壁に設置されるものに限定されることなく、他の場所に設置されてもよいし、スイッチユニット３１０の機能部分を他の機器に内蔵するようにしてもよい。
【００５１】
実施例２．
この実施例では、実施の形態１の外部機器３００として、スイッチユニットと外部人感センサを用いる場合について説明する。２つのポートを個別に接点入力として設定する個別動作モードの設定となる。実施の形態１と同様の構成、機能について、同符号を付して説明を省略し、この実施例における構成及び動作について説明する。
【００５２】
図６は、本実施例における照明制御システムのシステム構成を示す図である。
【００５３】
この実施例における照明制御システム１０００ｂは、照明制御装置１００と、これに接続される複数の照明器具２００と、照明制御装置１０００ｂに接続される外部人感センサ３２０とスイッチユニット３３０からなる。
【００５４】
人感センサ３２０は、照明制御装置１００の第一の入出力ポート部１７１に電線にて接続されている。人感センサ３２０は、接点部３２１を有し、人の「在」を検知したとき、接点部３２１をオン状態とし、人の「不在」を検知したとき、接点部３２１をオフ状態とする。
【００５５】
スイッチユニット３３０は、照明制御装置１００の第二の入出力ポート部１７２に電線にて接続されている。スイッチユニット３３０は、接点部３３１と、この接点部３３１のオン状態とオフ状態とを切替える操作部（図示しない）を有する。
【００５６】
次に、照明制御装置１００への設定について説明する。
まず、接点部３２１、３３１を接点入力で使用するため、実施例１と同様に、照明制御装置１００のマイコン１５０には、接点入力／出力ポート部１７０を接点入力で使用できるように設定する。
【００５７】
照明制御装置１００のマイコン１５０には、第一の入力／出力ポート部１７１に入力される入力信号よりも第二の入力／出力ポート部１７２に入力される入力信号が優先するように設定する。
次に、この接点入力のオン状態、オフ状態のときに動作する機能を設定する。
【００５８】
この実施例における照明制御システム１０００ｂの機能及び動作について詳細に説明する。
【００５９】
第一の入力／出力ポート部１７１にオン状態とする入力信号が入力されたとき、照明制御装置１００に接続されている各照明器具２００を所定の調光度（例えば調光度７０％）で点灯させる。
【００６０】
第二の入力／出力ポート部１７２にオン状態とする入力信号が入力されたとき、第一の入力／出力ポート部１７１にオン状態またはオフ状態とする入力信号が入力されると、照明制御装置１００は照明器具２００を所定の調光度（例えば調光度７０％）で点灯させる。これは、第二の入力／出力ポート部１７２が第一の入力／出力ポート部１７１よりも優先しているからである。
【００６１】
また、第二の入力／出力ポート部１７２にオフ状態とする入力信号が入力されたとき、第一の入力／出力ポート部１７１にオン状態とする入力信号が入力されると、照明制御装置１００は照明器具２００を所定の調光度（例えば調光度５０％）で点灯させ、第一の入力／出力ポート部１７１にオフ状態とする入力信号が入力されると、照明制御装置１００は照明器具２００を消灯させる。この接点状態と機能の動作パターンを表２に示す。
【００６２】
【表２】
2015079686.tif 000004
【００６３】
このように、第二の入力／出力ポート部１７２を第一の入力／出力ポート部１７１よりも優先することにより、照明器具２００を点灯させたいときは、外部人感センサ３２０の検知状態によらず、スイッチユニット３３０で点灯させることができる。
【００６４】
なお、スイッチユニット３３０で消灯させたい場合は、第二の入力／出力ポート部１７２に反転した反転入力信号を入力することにより、外部人感センサ３２０の検知状態によらず、スイッチユニット３３０で消灯させることができる。
【００６５】
つまり、第一の入力／出力ポート部１７１と第二の入力／出力ポート部１７２に入力される情報処理は、入力される論理を全て反転させたり、一部を反転させたりして組み合わせてもよい。
【００６６】
実施例３．
この実施例では、実施の形態１の外部機器３００として、調光機能のない照明器具を接続する場合について説明する。実施の形態１と同様の構成、機能について、同符号を付して説明を省略し、この実施例における構成及び動作について説明する。
【００６７】
図７は、本実施例における照明制御システムのシステム構成を示す図である。
【００６８】
この実施例における照明制御システム１０００ｃは、照明制御装置１００と、これに接続される複数の照明器具２００と、照明制御装置１００に接続されるリレー５００と、このリレー５００に接続される調光機能のない複数の照明器具６００からなる。
【００６９】
この実施例において、調光機能のない照明器具６００とは、照明制御装置１００からのＰＷＭ信号によって調光度を変更する機能と、照明制御装置１００からのＰＷＭ信号のオンデューティが１００％となったときに消灯する機能、特に消灯する機能がない照明器具をいい、以降、副照明器具６００と称する。
【００７０】
リレー５００は、商用電源が入力される電源入力部５１０と、照明制御装置１００の接点入力／出力ポート部１７０（第一の入力／出力ポート部１７１）に接続される接点信号入力部５２０と、この接点信号入力部５２０に信号が入力されているときに、電源入力部５１０に入力される商用電源を出力する電源出力部５３０を有する。
【００７１】
副照明器具６００は、リレー５００の電源出力部５３０に接続され、リレー５００が商用電源を出力するときに点灯する。
【００７２】
次に、照明制御装置１００への設定について説明する。
照明制御装置１００のマイコン１５０には、接点入力／出力ポート部１７０（第一の入力／出力ポート部１７１）を接点出力で使用するように設定する。
【００７３】
次に、照度センサ部１１０あるいは人感センサ部１２０の検知信号と、接点入力／出力ポート部１７０が出力する接点出力からの出力信号をどれと連携させるかを決定する。
【００７４】
例えば、照度センサ部１１０の検知信号と、接点出力からの出力信号を連携させる場合、照度センサ部１１０が所定の照度以上の照度を検出したとき「明」信号を出力し、所定の照度未満の照度を検出したとき「暗」信号を出力する。あるいは、人感センサ部１２０の検知信号と接点出力からの出力信号を連携させる場合、人感センサ部１２０が人の存在を検出したとき「在」信号を出力し、人の存在を検知しないとき「不在」信号を出力する。
【００７５】
このように照明制御装置１００を設定して、照明制御装置１００が「暗」信号を出力しているとき、あるいは、「在」信号を出力しているときに、リレー５００の接点をオンにする。
【００７６】
リレー５００の接点がオンになることにより、副照明器具６００に商用電源が供給されるようになるので、副照明器具６００を点灯させることができる。
【００７７】
したがって、副照明器具６００であっても、照明制御装置１００から接点出力することによって、点灯と消灯の切り替え制御を行うことができるので、消灯機能を備えていない副照明器具６００を選択できることによって、照明制御システム１０００ｃの構成を安価にすることができるばかりでなく、照明制御システム１０００ｃの構成のバリエーションを豊富にすることができる。
【００７８】
なお、副照明器具６００は、消灯機能がなく、ＰＷＭ信号による調光機能を有するものであってもよい。この場合、第一の入力／出力ポート部１７１により、リレー５００を介して点灯／消灯の切り替えを行い、第二の入力／出力ポート部１７２からＰＷＭ信号を出力することによって、照明器具２００と同様の機能を実現することができる。
【００７９】
実施例４．
この実施例では、実施の形態１の外部機器３００として、外部人感センサと換気扇を用いる場合について説明する。実施の形態１と同様の構成、機能について、同符号を付して説明を省略し、この実施例における構成及び動作について説明する。
【００８０】
図８は、本実施例における照明制御システムのシステム構成を示す図である。
【００８１】
この実施例における照明制御システム１０００ｄは、照明制御装置１００と、これに接続される複数の照明器具２００と、照明制御装置１００に接続される外部人感センサ３２０と、同じく照明制御装置１００に接続される換気扇３４０からなる。
外部人感センサ３２０は、照明制御装置１００の第一の入力／出力ポート部１７１に電線にて接続されている。
換気扇３４０は、照明制御装置１００の第二の入力／出力ポート部１７２に電線にて接続されている。
【００８２】
次に、照明制御装置１００への設定について説明する。
照明制御装置１００のマイコン１５０には、第一の入力／出力ポート１７１を接点入力、第二の入力／出力ポート１７２を接点出力で使用するように設定する。
【００８３】
このように設定することにより、外部人感センサ３２０が人の「在」を検出した場合、照明器具２００を点灯させるとともに、換気扇３４０を作動させることができる。なお、外部人感センサ３２０が人の「不在」を検出した場合、「不在」を検出してから所定時間点灯（点灯保持時間）させた後に照明器具２００を消灯させ、その後、さらに所定時間が経過（遅延時間）してから、換気扇３４０の作動を停止するようにする。
このように、外部人感センサ３２０が不在を検知し、照明器具２００が消灯してから所定時間遅延させて換気扇３４０を停止させるようにすることで、例えば、トイレなどに換気扇３４０が設置された場合、人が「不在」となってから十分に換気を行ってから換気扇３４０を停止させることができるので、快適な環境を提供することができる。
【００８４】
実施例５．
この実施例では、実施の形態１の外部機器３００として、空調機器の室外機を用いる場合について説明する。実施の形態１と同様の構成、機能について、同符号を付して説明を省略し、この実施例における構成及び動作について説明する。
【００８５】
図９は、本実施例における照明制御システムのシステム構成を示す図である。
【００８６】
この実施例における照明制御システム１０００ｅは、照明制御装置１００と、これに接続される複数の照明器具２００と、照明制御装置１００に接続される空調機器の室外機３５０からなる。
室外機３５０は、照明制御装置１００の第一の入力／出力ポート部１７１及び第二の入力／出力ポート部１７２に電線にて接続されている。
【００８７】
次に、照明制御装置１００への設定について説明する。
照明制御装置１００のマイコン１５０には、第一の入力／出力ポート１７１及び第二の入力／出力ポート１７２を接点出力で使用するように設定する。
【００８８】
次に、照明制御装置１００が照明器具２００の点灯状態及び空調機器の室外機３５０を制御する設定方法及び制御方法について説明する。
【００８９】
照明制御装置１００が照明器具２００を調光度７０％で点灯させるとき、第一の入力／出力ポート部１７１、第二の入力／出力ポート部１７２から接点部３５１、３５２をともにオフにして空調機器（室外機３５０）を１００％で運転（通常運転）させるように設定する。
【００９０】
照明制御装置１００が照明器具２００を調光度５０％で点灯させるとき、第一の入力／出力ポート部１７１から接点部３５１をオンにし、第二の入力／出力ポート部１７２から接点部３５２をオフにして空調機器（室外機３５０）を７５％で運転させるように設定（シーン１）する。
【００９１】
照明制御装置１００が照明器具２００を調光度２５％で点灯させるとき、第一の入力／出力ポート部１７１、第二の入力／出力ポート部１７２から接点部３５１、３５２をともにオンにして空調機器（室外機３５０）を５０％で運転（通常運転）させるように設定（シーン２）する。
【００９２】
照明制御装置１００が照明器具２００を消灯（調光度０％）させるとき、第一の入力／出力ポート部１７１から接点部３５１をオフにし、第二の入力／出力ポート部１７２から接点部３５２をオンにして空調機器（室外機３５０）を停止（０％で運転）させるように設定（シーン３）する。
【００９３】
これらの照明制御装置１００の設定を表に纏めると、以下の表３のようになる。
【００９４】
【表３】
2015079686.tif 000005
【００９５】
このように設定することにより、照明制御装置１００は、照明器具２００の点灯状態に合わせて、空調機器（室外機３５０）についても、省エネ運転が可能となる。
【００９６】
実施の形態２．
本実施の形態において、実施の形態１及び実施例１〜実施例４と同様な構成については同符号を付して説明を省略する。
この実施の形態における照明制御装置の特徴は、実施の形態１における照明制御装置１００に第二の通信部を設けたところにある。
【００９７】
図１０、図１１は、本実施例における照明制御システムのシステム構成を示す図である。
【００９８】
照明制御システム２０００は、照明制御装置７００と、この照明制御装置７００に接続される複数の照明器具２００と、照明制御装置７００に接続される外部機器３００と、リモコン装置４００と、通信アダプタ８００と、設定端末９００からなる。
【００９９】
照明制御装置７００は、照度センサ部１１０と、人感センサ部１２０と、報知部１３０と、電源回路部１４０と、マイコン１５０と、ＰＷＭ信号入力部１６０と、接点入力／出力ポート部１７０と、ＰＷＭ信号出力部１８０と、第一のワイヤレス通信部７１０と、第二のワイヤレス通信部７２０と、を備える。
【０１００】
第一のワイヤレス通信部７１０は、実施の形態１のワイヤレス通信部１９０と同様の機能を有し、リモコン装置４００と赤外線（または遠赤外線）によって通信を行うリモコン通信部１９１を備える。
【０１０１】
第二のワイヤレス通信部７２０は、通信アダプタ８００を介して、電波にて外部（設定端末９００）と通信を行う。なお、この実施の形態における電波とは、電波法第２条の１で定義される「三百万メガヘルツ以下の周波数の電磁波」とする。
【０１０２】
通信アダプタ８００は、照明制御装置７００と有線で接続され、設定端末９００と第二のワイヤレス通信部７２０との中継を行う。通信アダプタ８００は、アンテナ部８１０と、第二のワイヤレス通信部７２０との通信及び設定端末９００との通信を行う際、アンテナ部８１０を介して通信を行う通信信号の増幅を行う増幅器８２０を備えている。本実施の形態では、通信アダプタ８００と照明制御装置７００を別体である場合について説明するが、一体であってもかまわない。
【０１０３】
設定端末９００は、無線通信部９１０と、照明制御装置７００を制御するためのプログラム（アプリケーション）を実行するコンピュータ回路部９２０と、データを入力するデータ入力部９３０を有する。この実施の形態の設定端末９００は、いわゆる携帯電話、スマートフォン、タブレット端末、パソコンなどの汎用機器に照明制御装置７００に設定するためのアプリケーションをインストールされたものである。
【０１０４】
次に、設定端末９００を用いて照明制御装置７００の設定を変更する場合について説明する。
まず、設定端末９００から照明制御装置７００を設定するためのアプリケーションを起動する。
設定端末９００の画面には、大きく分けて、「操作・監視」メニュー、「電力トレンド画面」メニュー、「設定」メニューの３つのモードが表示される。
【０１０５】
設定端末９００に表示される「操作・監視」メニューを選択すると、設定端末９００は無線通信部９１０、通信アダプタ８００を介して照明制御装置７００と通信を行い、照明制御装置７００によって点灯制御されている照明器具２００の調光度を操作したり、実施の形態１の各シーンを選択したり、あるいは照明制御システム２０００が消費している電力を表示したりすることができる。
【０１０６】
設定端末９００に表示される「電力トレンド画面」メニューを選択すると、設定端末９００は無線通信部９１０、通信アダプタ８００を介して照明制御装置７００と通信を行い、日単位、月単位での消費電力の変化を示すグラフを表示したり、日単位または月単位で比較する、例えば前日との比較や前年との比較をし、比較した結果省エネできているか否かを表示したりすることができる。
【０１０７】
設定端末９００に表示される「設定」メニューを選択すると、設定端末９００は無線通信部９１０、通信アダプタ８００を介して照明制御装置７００と通信を行い、照明制御装置７００に設定されているスケジュール機能、シーンなどの設定を行うことができる。
【０１０８】
このように、通信アダプタ８００を介して、設定端末９００から照明制御装置７００の設定をできるようにしたので、照明制御装置７００専用のリモコン４００がなくても設定変更ができる。特に、設定端末９００は、携帯電話やスマートフォンに代表される携帯端末にアプリケーションをインストールしたものであるので、導入コストを抑えることができ、また多くのユーザーに照明制御装置７００の設定変更ができる環境を提供することができる。
【０１０９】
また、設定端末９００は、携帯電話やスマートフォンに限らずに、通信アダプタ８０００を介して通信を行える機器であればよく、その機器にアプリケーションをインストールすることによって照明制御装置７００の設定を変更できるので、パソコンやタブレット端末などにも応用ができる。画面の大きいパソコンやタブレット端末であれば、設定情報を多く表示できるので、照明制御装置７００に対して、より複雑な設定を容易に行うことができる。
【０１１０】
なお、図１２に示すように、通信アダプタ８００は、インターネット回線などに接続し、インターネット回線などを通じて、外部と通信するようにしてもよい。
【０１１１】
このようにインターネット回線を通じて、外部と通信できるようにすることによって、例えば、外出先から設定端末９００を用いて照明制御装置７００の設定を変更したり、照明制御装置７００が制御している制御状態を確認したりすることができる。
【０１１２】
また、インターネット回線を通じて、外部と通信できるようにすることによって、例えば、ビル管理会社などのメンテナンス会社が外部から照明制御システム２０００の運用状況を確認や照明制御装置７００の設定変更が容易となり、メンテナンスにかかる効率が向上することができ、また、照明制御システム２０００の運用状況から、ビルのオーナなどに対して省エネルギーとなる照明制御の提案や、それに伴う設定変更が可能となる。
【０１１３】
また、通信アダプタ８００を介してインターネット回線などに接続するようにしているので、照明制御装置７００が内蔵する時刻の設定を、インターネット上で公開されている時刻サーバー（標準時間）に基づいて時刻調整を行うようにしてもよい。
【０１１４】
なお、この実施の形態では、設定端末９００に照明制御装置７００を設定するための専用のアプリケーションをインストールする場合について説明したが、これに限らず、設定端末９００に照明制御装置７００を設定するためのアプリケーションをインストールしなくてもよい。例えば、設定端末９００から接続先となる照明制御装置７００のＩＰアドレスなどを入力して、通信アダプタ８００を介して照明制御装置７００にアクセス（インターネット回線などから通信アダプタへアクセスする場合を含む。）し、設定端末９００に照明制御装置７００を設定するためのＷＥＢ画面などを表示して、このＷＥＢ画面に表示される情報に基づいて設定するようにする。このようにすることにより、設定端末９００に照明制御装置７００を設定するための専用のアプリケーションをインストールすることなく、照明制御装置７００の設定を行うことができる。
【０１１５】
また、本実施の形態では、設定端末９００は、通信アダプタ８００を介して照明制御装置７００を設定する場合を説明したが、無線通信機能を照明制御装置７００や照明器具２００などに搭載してもよい。このように、照明制御装置７００や照明器具２００に無線通信機能を搭載することで、設定端末９００から、照明制御装置７００や照明器具２００に対して、ダイレクトに設定ができるとともに、照明制御装置７００と照明器具２００の間で無線通信を行うことができる。そのため、照明制御装置７００と照明器具２００などと有線にて信号線を接続しなくてもよくなるので、例えば、照明器具２００を追加したりする場合に、信号線を接続する工事を必要とせず、照明制御システムのシステム構成のリニューアルが容易となる。
【０１１６】
なお、実施の形態１、実施の形態２及び実施例１〜実施例３の全て、あるいは部分的に組み合わせて実施してもかまわない。
【０１１７】
実施の形態３．
実施の形態１、実施の形態２、実施例１〜実施例５にて、照明制御システム並びにこの照明制御システムに組み込まれる照明制御装置について説明した。
【０１１８】
この実施の形態では、照明制御装置１００の構造について説明する。
図１３は、本実施の形態３照明制御装置の正面、側面及び底面を示す図であり、図１３（Ａ）は正面図、図１３（Ｂ）は側面図、図１３（ｃ）は底面図であり、図１４は、図１３の照明制御装置の分解斜視図である。
【０１１９】
照明制御装置１００は、略円筒形状の中空状をなし、筒形状の一端面側が開口する本体部１０１と、この本体部１０１の筒内に挿入される制御ユニット部１０２と、本体部１０１の開口する面と対向する他面に取り付けられる電源端子台部１０３と、本体部１０１の開口を塞ぐ蓋部１０４と、を備える。
【０１２０】
本体部１０１は、開口面側の曲面にそれぞれ対向するように設けられる２本のＶ字形状の取り付けバネ１０１ａを有する。
【０１２１】
制御ユニット部１０２は、樹脂性の基板ホルダ部１０２ａと、この基板ホルダ部１０２ａに取り付けられる電源搭載基板１０２ｂと、この電源搭載基板１０２ｂと対向するように基板ホルダ１０２ａに取り付けられるマイコン搭載基板１０２ｃと、電源搭載基板１０２ｂ及びマイコン搭載基板１０２ｃの一端側かつ略垂直となるように取り付けられるセンサ搭載基板１０２ｄと、マイコン搭載基板１０２ｃとセンサ搭載基板１０２ｄとを電気的に接続するフレキシブル基板１０２ｅと、電源搭載基板１０２ｂと基板ホルダ１０２ａとの間に取り付けられる放熱パッド１０２ｆと、遮蔽部材１０２ｇと、この遮蔽部材１０２ｇの一端に取り付けられる透光性の板状のカバー１０２ｈと、を備える。
【０１２２】
基板ホルダ部１０２ａは、本体部１０１に挿入された際に係合する２つの係合部１０２ａａと、この係合部１０２ａａの間から延出された板状の表裏にそれぞれ電源搭載基板１０２ｂとマイコン搭載基板１０２ｃが取り付けられる基板取付部１０２ａｂと、２つの係合部１０２ａａとの間に基板取付部１０２ａｂに対して垂直面を形成し、センサ搭載基板１０２ｄが取り付けられるセンサ基板取付部１０２ａｃと、を備える。基板ホルダ部１０２ａは、２つの係合部１０２ａａと基板取付部１０２ａｂにより形成される形状がＴ字形状をなしている。
【０１２３】
基板取付部１０２ａｂは、コネクタ挿入穴１０２ａｂａと、電源搭載基板１０２ｂ及びマイコン搭載基板１０２ｃを係止する複数の係止爪１０２ａｂｂと、放熱パッド確認窓１０２ａｂｃと、コネクタ接続確認穴１０２ａｂｄを有する。
【０１２４】
電源搭載基板１０２ｂは、入力される交流電源を直流電源に変換する回路（実施の形態１の電源回路部１４０など）が搭載された基板である。この電源搭載基板１０２ｂは、略長方形状をなし、基板取付部１０２ａｂに対面する面に接続コネクタ１０２ｂａを有する。
【０１２５】
マイコン搭載基板１０２ｃは、実施の形態１のマイコン１５０を含む制御回路が搭載された基板である。このマイコン搭載基板１０２ｃは、略長方形状をなし、基板取付部１０２ａｂに対面する面と、略長方形状の一辺側にそれぞれ接続コネクタ１０２ｃａ、１０２ｃｂを有する。
【０１２６】
センサ搭載基板１０２ｄは、実施の形態１の照度センサ１１０、人感センサ１２０、報知部１３０（運転ＬＥＤ１３２ａ、人感ＬＥＤ１３２ｂ、出力ＬＥＤ１３２ｃを含む。）などが搭載された基板である。
【０１２７】
遮蔽部材１０２ｇは、センサ搭載基板１０２ｄの照度センサ１１０を囲うように取り付けられるリング状をなしている。
【０１２８】
電源端子台部１０３は、長方形状の金属板からなる取付板１０３ａと、この取付板１０３ａに取り付けられる電源端子台１０３ｂと、を備える。
【０１２９】
蓋部１０４は、円形状の樹脂性の板材であり、この板材に、センサ搭載基板１０２ｄに搭載される照度センサ部１１０、人感センサ部１２０が臨むように開口するセンサ窓部１０４ａと、同じくセンサ搭載基板１０２ｄに搭載されている表示用の運転ＬＥＤ１３２ａ、人感ＬＥＤ１３２ｂ、出力ＬＥＤ１３２ｃが臨むように開口するインジケータ窓部１０４ｂが形成されている。
【０１３０】
次に、照明制御装置の組み立てについて説明する。
まず、基板ホルダ部１０２ａに２つの凸部（図示しない）を目印に放熱パッド１０２ｆの角を合わせて位置合せを行いながら取り付け、この状態で、基板ホルダ部１０２ａの基板取付部１０２ａｂの表面に電源搭載基板１０２ｂを取り付ける。このとき、係止爪１０２ａｂｂが電源搭載基板１０２の四隅を係止し、電源搭載基板１０２ｂの接続コネクタ１０２ｂａが基板取付部１０２ａｂのコネクタ挿入穴１０２ａｂａに挿入された状態となる。この状態において、放熱パッド確認窓１０２ａｂｃから放熱パッド１０２ｆが基板取付部１０２ａｂと電源搭載基板１０２ｂに挟まれていることができ、放熱パッド１０２ｆの取り付け忘れがないか、確認することができる。
【０１３１】
次に、基板ホルダ部１０２ａの基板取付部ａｂの裏面（電源搭載基板１０２ｂが取り付けられた表面の反対側の面）にマイコン搭載基板１０２ｃを取り付ける。このとき、電源搭載基板１０２ｂを取り付けたときと同様に、係止爪１０２ａｂｂがマイコン搭載基板１０２ｃの四隅を係止し、マイコン搭載基板１０２ｃの接続コネクタ１０２ｃａが基板取り付け部１０２ａｂのコネクタ挿入穴１０２ａｂａに挿入され、接続コネクタ１０２ｃａは接続コネクタ１０２ｂａと物理的、電気的に接続する。このとき、コネクタ接続確認穴１０２ａｂｄにより、接続コネクタ１０２ｃａが接続コネクタ１０２ｂａに確実に接続されていることを確認することができる。
【０１３２】
次に、マイコン搭載基板１０２ｃの接続コネクタ１０２ｃｂにフレキシブル基板１０２ｅを接続し、フレキシブル基板１０２ｅの他方をセンサ搭載基板１０２ｄの接続コネクタ１０２ｄａに接続する。この状態で、センサ搭載基板１０２ｄを基板ホルダ部１０２のセンサ基板取付部１０２ａｃに載置する。
【０１３３】
次に、基板ホルダ部１０２ａに電源搭載基板１０２ｂ、マイコン搭載基板１０２５ｃ及びセンサ搭載基板１０２ｄを係止または載置した状態にして、本体部１０１の開口部分からスライド挿入する。
【０１３４】
スライド挿入された基板ホルダ部１０２ａは、係合部１０２ａａが本体部１０１に係合して、本体部１０１内に保持される。
【０１３５】
このように、基板ホルダ部１０２ａに電源搭載基板１０２ｂ、マイコン搭載基板１０２５ｃ及びセンサ搭載基板１０２ｄを係止または載置した状態にして、本体部１０１の開口部分からスライド挿入させて、本体部１０１内に、基板ホルダ部１０２ａを保持させることによって、組み立て作業性が向上する。
【０１３６】
次に、センサ搭載基板１０２ｄに、遮蔽部材１０２ｇとカバーを載置し、蓋部１０４を本体部１０１の開口部分に取り付ける。
このとき、照度センサ部１１０、人感センサ部１２０はセンサ窓部１０４ａに、運転ＬＥＤ１３２ａ、人感ＬＥＤ１３２ｂ、出力ＬＥＤ１３２ｃは、インジケータ窓部１０４にそれぞれ嵌まり込む。
【０１３７】
この実施の形態では、実施の形態１の照明制御装置１００について説明したが、実施の形態２の照明制御装置７００も同様の構造をとることができる。
【符号の説明】
【０１３８】
１０００、１０００ａ、１０００ｂ、１０００ｃ、１０００ｄ、２０００  照明制御システム、１００  照明制御装置、１０１  本体部、１０１ａ  取付バネ、１０２  制御ユニット部、１０２ａ  基板ホルダ部、１０２ａａ  係合部、１０２ａｂ  基板取付部、１０２ａｂａ  コネクタ挿入穴、１０２ａｂｂ  係止爪、１０２ａｂｃ  放熱パッド確認穴、１０２ａｂｄ  コネクタ接続確認穴、１０２ａｃ  センサ基板取付部、１０２ｂ  電源搭載基板、１０２ｂａ  接続コネクタ、１０２ｃ  マイコン搭載基板、１０２ｃａ、１０２ｃｂ  接続コネクタ、１０２ｄ  センサ搭載基板、１０２ｄａ  接続コネクタ、１０２ｅ  フレキシブル基板、１０２ｆ  放熱パッド、１０２ｇ  遮蔽部材、１０２ｈ  カバー、１０３  電源端子台部、１０３ａ  取付板、１０３ｂ  電源端子台、１０４  蓋部、１０４ａ  センサ窓部、１０４ｂ  インジケータ窓部、１１０  照度センサ部、１２０  人感センサ部、１３０  報知部、１３１  音声発生部、１３２  表示部、１３２ａ  運転ＬＥＤ、１３２ｂ  人感ＬＥＤ、１３２ｃ  出力ＬＥＤ、１４０  電源回路部、１５０  マイコン、１５１  コントロール端子、１５２  入力端子、１５３  出力端子、１６０  ＰＷＭ信号入力部、１７０  接点入力／出力ポート部、１７１  第一の入力／出力ポート部、１７２  第二の入力／出力ポート部、１７１ａ  入出力切替回路、１７１ｂ  入力回路、１７１ｃ  出力回路、１８０  ＰＷＭ信号出力部、１９０  ワイヤレス通信部、１９１  リモコン通信部、２００  照明器具、３００  外部機器、３１０  スイッチユニット、３１１、３１２  接点部、３２０  外部人感センサ、３２１  接点部、３３０  スイッチユニット、３３１  接点部、３４０  換気扇、３５０  室外機、４００  リモコン装置、５００  リレー、５１０  電源入力部、５２０  接点信号入力部、５３０  電源出力部、６００  副照明器具、７００  照明制御装置、７１０  第一のワイヤレス通信部、７２０  第二のワイヤレス通信部、８００  通信アダプタ、８１０  アンテナ部、８２０  増幅器、９００  設定端末、９１０  無線通信部、９２０  コンピュータ回路部、９３０  データ入力部、Ｖｃｃ１  第一の制御電源、Ｖｃｃ２  第二の制御電源、ＣＮ１  接続コネクタ、Ｒ１〜Ｒ１０  抵抗、Ｃ１  コンデンサ、Ｄ１、Ｄ２  ダイオード、Ｑ１  ＮＰＮトランジスタ、Ｑ２  ＰＮＰトランジスタ、Ｑ３  ＮＰＮトランジスタ、ＣＮ１  接続コネクタ。
【図１４】
2015079686.tif 000006
【図１】
2015079686.tif 000007
【図２】
2015079686.tif 000008
【図３】
2015079686.tif 000009
【図４】
2015079686.tif 000010
【図５】
2015079686.tif 000011
【図６】
2015079686.tif 000012
【図７】
2015079686.tif 000013
【図８】
2015079686.tif 000014
【図９】
2015079686.tif 000015
【図１０】
2015079686.tif 000016
【図１１】
2015079686.tif 000017
【図１２】
2015079686.tif 000018
【図１３】
2015079686.tif 000019